(57)【要約】      （修正有）【課題】周知の複雑な機械式ダッシュボードを簡易化し、その構造を簡単とし、製造及び組立に便利とし、並びにメーターに明らかな表示効果を具備させるメーター光表示構造の提供。【解決手段】メーター盤、導光装置及び発光装置で構成され、該メーター盤は広く交通工具に用いられている表示装置であり、円形ケースとされて表面に透明カバーが設けられ、該ケース底部の標示或いは記録を透視でき、該導光装置は感光／導光材料で構成された円弧條とされ、並びにメーター盤内部周囲に嵌設され、該発光装置は任意に円弧條状の導光装置の一端或いは二端に設置され、導光装置が発光装置の発生する光を吸収し、これによりメーター光表示構造が構成され、発光装置の輝度の強弱を調整することにより、導光装置の導光装置の感光発光の円弧が改変され、信号標示と閃光装飾機能を具備する。【選択図】図１
0003107192.tif 000002
【実用新案登録請求の範囲】
【請求項１】
使用状況を表示する表示装置であり、中空のケースを具え、該ケースの表面に透明カバーが設けられ、ケースの内部に目盛り盤が設けられたメーター盤と、
感光／導光材料で形成された円弧條とされ、並びに該メーター盤の透明カバーの内部周囲に嵌設され、目盛り盤周囲に繞設された導光装置と、
該導光装置の少なくとも一端に設置され、発生する光線を該導光装置に伝送させる発光装置と、
を少なくとも具え、導光装置に発光装置の発生する光線を受け取らせて光線を導光装置に伝送させることを特徴とする、メーター光表示構造。
【請求項２】
請求項１記載のメーター光表示構造において、ケースが外円環と内円環で組成され、外円環の前端の任意の一カ所に内側に突出する遮蔽片が設けられ、該内円環の対応位置に内向きに突出する収容部が設けられ、透明カバーが外円環に嵌入された後、該内円環が透明カバー後端に嵌合され、並びに内円環に選択的に目盛り盤が設けられ、導光装置の二端が該収容部中に挿入され、並びに該収容部中に少なくとも一つの発光装置が設けられたことを特徴とする、メーター光表示構造。
【請求項３】
請求項１記載のメーター光表示構造において、音声制御電子回路が組み合わされ、これにより導光装置と発光装置が外界の音声に応じて光線変化効果を発生することを特徴とする、メーター光表示構造。
【考案の詳細な説明】
【技術分野】
【０００１】
本考案は一種のメーター光表示構造に係り、特に交通工具のダッシュボードに応用されるメーター光表示構造であり、メーターに光信号表示及び閃光装飾効果を具備させるメーター光表示構造に関する。
【背景技術】
【０００２】
伝統的な自動車等の交通工具のダッシュボードには各メーターの目盛り盤の一側或いは中央にサーボモータにより駆動される指針が設けられ、これにより目盛り盤の各種目盛り或いは数字と組み合わされて交通工具使用時の各種状況の情報、例えば、走行速度、エンジン回転速度、オイル量等を表示する。ただし、このような周知の機械式メーター表示構造は、その他の発光源を組合わせなければ暗いダッシュボード中で表示の機能を具備することができず、且つ複雑煩瑣な機械構造を使用しなければ指針に交通工具使用の状況に応じて揺動させて各種データを表示させることができない。このため製造、組立上、相当に不便であり、且つ暗闇での使用に不利である。また、伝統的なダッシュボードは単調な光源を使用して輝度補助を行なうだけであり、有効にダッシュボードの各種情報或いはデータを拡張表示することができず、このためダッシュボードの使用効果が明らかとならない。
【考案の開示】
【考案が解決しようとする課題】
【０００３】
このため、本考案は一種のメーター光表示構造を提供し、周知の複雑な機械式ダッシュボードを簡易化し、その構造を簡単とし、製造及び組立に便利とし、並びにメーターに明らかな表示効果を具備させるようにする。
【０００４】
即ち、本考案の主要な目的は、一種のメーター光表示構造を提供することにあり、それは、導光材料の光線伝送エリア（長さ）の改変を運用することで、メーターに、直接光線を使用した信号或いはデータの明らかな表示効果を具備させ、並びにこれによりメーターの構造を簡単としたものとする。
【課題を解決するための手段】
【０００５】
請求項１の考案は、使用状況を表示する表示装置であり、中空のケースを具え、該ケースの表面に透明カバーが設けられ、ケースの内部に目盛り盤が設けられたメーター盤と、  感光／導光材料で形成された円弧條とされ、並びに該メーター盤の透明カバーの内部周囲に嵌設され、目盛り盤周囲に繞設された導光装置と、
該導光装置の少なくとも一端に設置され、発生する光線を該導光装置に伝送させる発光装置と、
を少なくとも具え、導光装置に発光装置の発生する光線を受け取らせて光線を導光装置に伝送させることを特徴とする、メーター光表示構造としている。
請求項２の考案は、請求項１記載のメーター光表示構造において、ケースが外円環と内円環で組成され、外円環の前端の任意の一カ所に内側に突出する遮蔽片が設けられ、該内円環の対応位置に内向きに突出する収容部が設けられ、透明カバーが外円環に嵌入された後、該内円環が透明カバー後端に嵌合され、並びに内円環に選択的に目盛り盤が設けられ、導光装置の二端が該収容部中に挿入され、並びに該収容部中に少なくとも一つの発光装置が設けられたことを特徴とする、メーター光表示構造としている。
請求項３の考案は、請求項１記載のメーター光表示構造において、音声制御電子回路が組み合わされ、これにより導光装置と発光装置が外界の音声に応じて光線変化効果を発生することを特徴とする、メーター光表示構造としている。
【考案の効果】
【０００６】
本考案は一種のメーター光表示構造を提供し、それは、周知の複雑な機械式ダッシュボードを簡易化し、その構造を簡単とし、製造及び組立に便利とし、並びにメーターに明らかな表示効果を具備させたものである。
【考案を実施するための最良の形態】
【０００７】
本考案のメーター光表示構造は、メーター盤、導光装置及び発光装置で構成され、該メーター盤は交通工具に汎用されて該交通工具の使用状況を表示する表示装置であり、円形ケースとされ表面に透明カバーが設けられて該ケース底部の目盛り盤の標示或いは記録等を透視でき、該導光装置は、感光／導光材料例えば光ファイバ（ｆｉｂｅｒ  ｃａｂｌｅ）等で構成された円弧條とされ、並びに該メーター盤の内部周囲に嵌設され、該発光装置は、任意に円弧條状の導光装置の一端或いは二端に設置され、導光装置が発光装置の発生する光を吸収し、これによりメーター光表示構造が構成され、予め設けられた回路を運用して該発光装置を制御して、該発光装置に各種信号により輝度強弱の変換を発生させ、これにより該導光装置に感光発光の光線伝送円弧を改変させて、メーター盤の信号標示及び閃光装飾の機能を達成する。
【実施例１】
【０００８】
図１、２に示されるように、本考案のメーター光表示構造は、少なくとも、メーター盤１、導光装置２及び発光装置３で構成されている。
【０００９】
該メーター盤１は交通工具或いはその他の機器に汎用されて該交通工具或いは機器の使用状況を表示する表示装置であり、中空ケース１１（円形、半円形或いは扇形等とされうる）を具え、該ケース１１の表面に透明カバー１２が設けられ、並びにケース１１の内底部に目盛り盤１３が設けられ、これにより該透明カバー１２を通して目盛り盤１３を観る事ができる。該導光装置２は、感光／導光材料例えば光ファイバ（ｆｉｂｅｒ  ｃａｂｌｅ）等で構成された円弧條とされ、並びに該メーター盤１の透明カバー１２の内部周囲に嵌設され、目盛り盤１３周囲に繞設される。該発光装置３は、光線を発生可能な電子装置、例えば発光ダイオード或いはバルブとされ、並びに少なくとも一つが該円弧條状の導光装置２の一端に設置され、該導光装置２に該発光装置３の発生する光線を吸収させることができる。これにより、本考案のメーター光表示構造が構成されている。
【００１０】
以上述べたように、該メーター盤１の内部に導光装置２と発光装置３が組付けられてメーター光表示構造が構成され、その実施方式は、図３及び図４に示されるようである。そのうち、ケース１１は外円環１１１と内円環１１２で組成され、外円環１１１の前端の任意の一カ所に内側に突出する遮蔽片１１３が設けられ、並びに該内円環１１２の対応位置に内向きに突出する収容部１１４が設けられ、これにより上述の透明カバー１２が外円環１１１に嵌入された後、該内円環１１２が透明カバー１２後端に嵌合され、並びに内円環１１２に目盛り盤１３が設けられ、こうして交通工具中に取り付け可能なメーター盤１が構成されている。これにより、透明カバー１２の内側の目盛り盤１３の周囲に導光装置２が固定され、並びに収容部１１４中に少なくとも一つの発光装置３が設けられ、該導光装置２は少なくとも一端が発光装置３の発生する光線を吸収可能である。
【００１１】
本考案のメーター光表示構造を運用し、即ち、電子回路により交通工具の各種使用情報を受け取り、並びに情報により該発光装置３を制御して輝度変化を発生させ、その光線を導光装置２において伝送させ、即ち、該円弧條形の導光装置２の感光発光の円弧エリア（光延伸長さの変化）を伸縮改変させることができ、メーター盤１に導光装置２を通して直接交通工具の使用状況、例えば走行速度、エンジン回転速度、オイル量等を表示させ、明らかに認識できるメーター表示効果を具備させることができる。次に、本考案は導光装置２と発光装置３のみを利用して、メーター盤１に信号或いはデータの表示効果を具備させており、その構造は周知の機械式メーターよりも簡単であり、生産製造及び組立使用に便利である。
【００１２】
次に、図５に示されるように、本考案はまた円弧條形の導光装置２の二端に選択的に発光装置３を設けることができ、これにより一連の音声制御電子回路の設置を組み合わせて、音声制御電子回路が外界音声或いは音楽変化に感応する時、その音声の強弱或いは演奏により、該発光装置３に輝度及び明暗変化作用を発生させ、これにより導光装置２に発光装置３の光線変化を受けてサウンドライト閃光効果を具備させることができる。上述の音声制御電子回路は図６に示されるように、入力回路Ａが信号増幅Ｂに作用し、電圧安定回路Ｃが信号ろ波Ｄに作用し、制御回路Ｅが信号の電圧への変換Ｆに作用し、出力回路Ｇが異なる電圧出力に用いられ、これにより該発光装置３と導光装置２を制御してサウンドライト閃光の効果を発生させることができる。
【００１３】
総合すると、本考案のメーター光表示構造は、実用性と創作性を具え、その手段の運用は新規性を有し、且つ機能と設計目的が符合し、進歩性を有している。
【図面の簡単な説明】
【００１４】
【図１】本考案のメーター光表示構造の立体図である。
【図２】本考案のメーター光表示構造の正面図である。
【図３】本考案のメーター光表示構造の側面図である。
【図４】本考案のメーター光表示構造の実施例の分解図である。
【図５】本考案のメーター光表示構造の別の実施例の表示図である。
【図６】本考案の音声制御電子回路のブロック図である。
【符号の説明】
【００１５】
１  メーター盤          １１  ケース
１１１  外円環          １１２  内円環
１１３  遮蔽片          １１４  収容部
１２  透明カバー        １３  目盛り盤
２  導光装置            ３  発光装置
Ａ  入力回路            Ｂ  信号増幅
Ｃ  電圧安定回路        Ｄ  信号ろ波
Ｅ  制御回路            Ｆ  信号の電圧への変換
Ｇ  出力回路
【図１】
0003107192.tif 000003
【図２】
0003107192.tif 000004
【図３】
0003107192.tif 000005
【図４】
0003107192.tif 000006
【図５】
0003107192.tif 000007
【図６】
0003107192.tif 000008